(57)【要約】      （修正有）【課題】防盗弛み防止ねじ構造を提供する。【解決手段】防盗弛み防止ねじ構造は、普通の手工具で旋開することができない構造で、ワッシャ４０とねじ５０からなり、ワッシャは中央に穿孔４１を有し、頂面は少なくとも一つの単方向の楔形歯４３により形成される第一鋸歯面を有し、ワッシャ底面は輻射状排列の尖嵌４４を有する。ねじはねじ頭５１及びねじ棒５３を有し、ねじ頭の外形は光滑を形成する円錐形で、ねじ頭頂面は凸環５１１により囲まれる円形凹部５１２を有し、凹部は二個、或いは、二個以上の棘歯５１３を有する。専用工具により棘歯箇所からねじを帯動して螺固し、反対方向に施力しても退出できず、弛み防止と防盗功能を有するねじ構造が提供される。【選択図】図２
0003134812.tif 000002
【実用新案登録請求の範囲】
【請求項１】
防盗弛み防止ねじ構造であって、ワッシャとねじからなり、前記ワッシャは中央に穿孔を有し、頂面は少なくとも一つの単方向の楔形歯により形成される第一鋸歯面を有し、前記単方向の楔形歯は斜面及び垂直面により構成され、前記ワッシャ底面は少なくとも一つの輻射状排列の尖嵌を有し、その特徴は、前記ねじはねじ頭及びねじを有し、前記ねじ頭の外形は光滑を形成する円錐形で、前記ねじ頭頂面は凸環により囲まれる円形凹部を有し、凹部は二個、或いは、二個以上の棘歯を有し、専用工具により施力して螺固を実行し、前記ねじ頭底面は前記ワッシャの第一楔形面と対応する第二楔形面を有することを特徴とするねじ構造。
【請求項２】
前記尖嵌は斜面と垂直壁により構成され、前記斜面設置方向は締結方向に沿うことを特徴とする請求項１に記載のねじ構造。
【請求項３】
前記棘歯は等分、或いは、不等分に排列されることを特徴とする請求項１に記載のねじ構造。
【考案の詳細な説明】
【技術分野】
【０００１】
本考案は防盗弛み止めねじ構造に関し、特に、ねじの錘形ねじ頭頂面が少なくとも一つの棘歯を有し、両面がそれぞれ楔形斜面と尖嵌を有するワッシャを有し、ねじを締結した後緩みにくいねじ構造に関する。
【背景技術】
【０００２】
図１は公知の弛み止めねじ構造を示し、主に、ねじ１０、及び、ワッシャ２０からなる。ワッシャ２０は円形で、外形上、少なくとも凹口２４を有し、その一面は少なくとも楔形歯２２から形成される第一楔形面２１を有し、第一楔形歯２２は面２２１と斜面２２２からなる。もう一面は少なくとも一つの尖嵌２３を設置し、尖嵌２３の断面は斜面がねじ１０の締結方向に沿った直角三角形である。ねじ１０はねじ頭１１とねじ棒１２を有し、ねじ頭１１底面はワッシャ２０の第一楔形面２１の造型と対応する第二楔形面１１１を有する。よって、ねじ１０締結時、対応する楔形面間の面２２１が同時に旋転運動し、ねじが次第に締結されるにつれて、転動できなくなるまで、ワッシャ２０が物件３０表面に印加する圧力が増大し、尖嵌２３が物件３０に嵌入する。退出時、対応する楔形面間の斜面は互いに干渉して圧迫し、尖嵌２３が物件の嵌入する止防効果により、ねじ旋出の困難度が増加し、ねじを締結するのが容易で、退出が困難な弛み止め効果が達成される。必要時、特製の手工具によりねじ頭１１、及び、ワッシャ凹口２４に施力しないと緩まないので、故に、防盗効果もある。公知のねじ構造はねじにより相当程度の弛み止め効果があるが、ねじ頭１１は手工具の施力に頼った構造であるので、ねじは横向けの施力により旋出する可能性がある。
【考案の開示】
【考案が解決しようとする課題】
【０００３】
本考案は、専用工具により緊固すると共に、弛み止め効果を有する防盗ねじを提供することを目的とする。
【課題を解決するための手段】
【０００４】
本考案のねじ構造は、ねじの錘形ねじ頭頂面が少なくとも一つの棘歯を有し、両面がそれぞれ楔形斜面と尖嵌を有するワッシャを有し、ねじを締結した後緩みにくい。
【考案の効果】
【０００５】
本考案により、専用工具により緊固すると共に、弛み止め効果を有する防盗ねじが提供される。
【考案を実施するための最良の形態】
【０００６】
図２で示されるように、本考案は、ワッシャ４０とねじ５０からなる。
【０００７】
ワッシャ４０は中央に穿孔４１を有する円形ワッシャで、ワッシャ４０頂面は少なくとも一つの単方向の楔形歯４３により形成される第一鋸歯面４２を有し、単方向の楔形歯４３は斜面４３１及び垂直面４３２により構成され、同一円心角度下で、斜面４３１の外縁と内縁の高度は相同である。ワッシャ４０底面は少なくとも一つの輻射状排列の尖嵌４４を設置する。先嵌４４の断面は斜面４４１と垂直壁４４２により構成され、斜面４４１は締結方向に設置される。ワッシャ４０の円形外形は少なくとも一つの凹口４５を設置し、専用工具で施力して取り外しを行う。
【０００８】
ねじ５０はねじ頭５１及びねじ棒５３を有し、ねじ頭５１の外形は光滑を形成する円錐形で、ねじ頭５１頂面は凸環５１１により囲まれる円形凹部５１２を有し、凹部５１２は二個、或いは、二個以上の棘歯５１３を有し、専用工具により施力して螺固を実行する。ねじ頭５１底面はワッシャ４０の第一楔形面４２と対応する第二楔形面５２を有する。
【０００９】
図３、図４で示されるように、上述の構造に加えて、物件６０に鎖固する時、一端が溝を有し、棘歯５１３と係合する専用工具７０を利用し、ねじ頭頂部に配置すると共に、凸環５１１により専用工具７０の定位効果を増加し、ねじの緊固まで安定して施力する。ねじ５０が反転する趨勢にある時、両楔形面間の斜面が互いに推して、ワッシャ４０が物件６０表面の尖嵌４４に向かって更に噛合を緊固し、弛み防止効果を達成する。ねじ頭５１の円錐形は一般の工具では挟持できず、且つ、単方向の棘歯５１３も工具により反対方向に退出できないので、防盗効果を生成する。取り外し時、専用工具により固定されるワッシャ４０の凹口４５を施力しなければ、ねじは弛まない。
【００１０】
実際の使用時、一専用工具が通用されるのを防止するため、上述の二個以上の棘歯５１３は不対称の角度に設計する。
【００１１】
本考案では好ましい実施例を前述の通り開示したが、これらは決して本考案に限定するものではなく、当該技術を熟知する者なら誰でも、本考案の精神と領域を脱しない範囲内で各種の変動や潤色を加えることができ、従って本考案明の保護範囲は、実用新案請求の範囲で指定した内容を基準とする。
【図面の簡単な説明】
【００１２】
【図１】公知のねじ構造外観図である。
【図２】本考案の立体図である。
【図３】本考案の断面図である。
【図４】本考案の専用工具により螺固する状態図である。
【符号の説明】
【００１３】
１０    ねじ
１１    ねじ頭
１１１  第二楔形面
１２    ねじ棒
２０    ワッシャ
２１    第一楔形面
２２    楔形歯
２２１  面
２２２  斜面
２３    尖嵌
３０    物件
４０    ワッシャ
４１    穿孔
４２    第一楔形面
４３    単方向楔形歯
４３１  斜面
４３２  面
４４    尖嵌
４４１  斜面
４４２  垂直壁
４５    凹口
５０    ねじ
５１    ねじ頭
５１１  凸環
５１２  凹部
５１３  棘歯
５２    第二楔形面
５３    ねじ棒
６０    物件
７０    専用工具
【図１】
0003134812.tif 000003
【図２】
0003134812.tif 000004
【図３】
0003134812.tif 000005
【図４】
0003134812.tif 000006